(57)【要約】【課題】ＤＶＲで録画した放送番組及び、放送の二次利用コンテンツにおいて、ユーザ嗜好をリアルタイムに抽出し、広告を含めた情報を結果的に提供する仕組みを実現する。【解決手段】広告やこれから行われるイベント情報、新作映画等の各種情報を推薦する推薦情報提供装置１、映像表示装置４および録画再生装置５を備え、ユーザ情報を基に、ユーザの嗜好やプロファイルに合わせた情報を提供する。録画再生装置５から送信されるユーザ閲覧番組情報を基に、推薦情報提供装置１においてＥＰＧファイルサーバ２より取得し蓄積した番組情報及び、あらかじめ収集されたコンテンツに関する情報からリストアップされる出演者を基にして、その出演者に関連付けられた推薦情報をユーザに対し提供する。【選択図】図１
2009284415.tif 000002
【特許請求の範囲】
【請求項１】
広告等の各種情報をユーザに推薦するための推薦情報提供装置と、映像表示装置と、録画再生装置と、を組み合わせて前記ユーザの嗜好やプロファイルに合わせた情報を提供するためのコンテンツ推薦装置であって、
前記推薦情報提供装置は、前記録画再生装置から送信される前記ユーザに関するユーザ情報を取得するためのユーザ情報受信部と、
取得した前記ユーザ情報を格納するためのユーザ情報記録部と、
前記ユーザへ推薦するコンテンツもしくは情報が存在するサーバのＵＲＬを記録して格納するためのコンテンツＵＲＬ記録部と、
ネットワークを介してＥＰＧファイルサーバ及び放送局から取得した文字放送データ及び番組情報を格納するための番組情報格納部と、
前記番組情報の処理を行うための番組情報処理部と、
前記ユーザ情報と前記番組情報に基づいて前記ユーザの嗜好情報を生成するためのユーザ嗜好情報生成部と、
前記嗜好情報に基づいて前記ユーザに推薦する情報を生成するための推薦情報生成部と、
前記録画再生装置に対し前記推薦情報を前記ネットワークを介して送信するための推薦情報送信部と、を備え、
前記録画再生装置は、前記ユーザ情報を格納するためのユーザ情報記録部と、
前記ユーザが視聴したテレビ番組情報及び録画している番組情報と視聴したパッケージメディア情報を記録するためのコンテンツ記録部と、
前記コンテンツ記録部に記録された情報の管理を行うための情報管理部と、
前記コンテンツ記録部に格納された前記番組情報のタイトルを抽出してデータ化するためのタイトルデータ処理部と、
ユーザプロファイルタイトルデータを前記推薦情報提供装置に前記ネットワークを介して送信するためのファイル送信部と、
前記ネットワークを介して前記推薦情報提供装置より推薦情報を受信するための推薦情報取得部と、
前記推薦情報の種別を判断して前記映像表示装置に適合させて画像表示させるための映像表示処理部と、
前記映像表示装置へ前記推薦情報を出力するための映像出力部と、を備えることを特徴とするコンテンツ推薦装置。
【請求項２】
前記推薦情報提供装置は推薦情報選択手段を有し、
前記録画再生装置から送信されるユーザ閲覧番組情報を基に前記ＥＰＧファイルサーバより取得し蓄積した番組情報と、あらかじめ収集された前記コンテンツに関する情報と、でもってリストアップされる出演者に関連付けられた推薦情報をユーザに対し提供することを特徴とする請求項１に記載のコンテンツ推薦装置。
【請求項３】
前記推薦情報選択手段は、
前記放送局から取得した前記文字放送データに基づいて出演者の出演頻度のヒストグラムを生成し、前記出演者毎のスコア付けを行って主要人物を特定し、前記コンテンツ毎の特徴を抽出することを特徴とする請求項２に記載のコンテンツ推薦装置。
【請求項４】
前記推薦情報選択手段は、
前記ユーザが視聴した前記コンテンツにおける前記出演者に基づいて推薦情報を生成し、前記ユーザが視聴した前記コンテンツのタイトルのみを前記録画再生装置から前記推薦情報提供装置へ送信することにより当該ユーザの嗜好に即した情報が提供されることを特徴とする請求項２または３に記載のコンテンツ推薦装置。
【請求項５】
前記推薦情報選択手段は、
前記出演者に関連した推薦情報を前記ユーザプロファイルを基に選別して前記ユーザへ提供することを特徴とする請求項２〜４のいずれかに記載のコンテンツ推薦装置。
【請求項６】
コンピュータを広告等の各種情報をユーザに推薦するための推薦情報提供装置と、映像表示装置と、録画再生装置として組み合わせて前記ユーザの嗜好やプロファイルに合わせた情報を提供するためのコンテンツ推薦プログラムであって、
ユーザ情報受信部において、前記録画再生装置から送信される前記ユーザに関するユーザ情報を取得するステップと、
ユーザ情報記録部において、取得した前記ユーザ情報を格納するステップと、
コンテンツＵＲＬ記録部において、前記ユーザへ推薦するコンテンツもしくは情報が存在するサーバのＵＲＬを記録して格納するステップと、
番組情報格納部において、ネットワークを介してＥＰＧファイルサーバ及び放送局から取得した文字放送データ及び番組情報を格納するステップと、
番組情報処理部において、前記番組情報の処理を行うステップと、
ユーザ嗜好情報生成部において、前記ユーザ情報と前記番組情報に基づいて前記ユーザの嗜好情報を生成するステップと、
推薦情報生成部において、前記嗜好情報に基づいて前記ユーザに推薦する情報を生成するステップと、
推薦情報送信部において、前記録画再生装置に対し前記推薦情報を前記ネットワークを介して送信するステップと、を前記推薦情報提供装置において実行させ、
前記録画再生装置におけるユーザ情報記録部において、前記ユーザ情報を格納するステップと、
コンテンツ記録部において、前記ユーザが視聴したテレビ番組情報及び録画している番組情報と視聴したパッケージメディア情報を記録するステップと、
情報管理部において、前記コンテンツ記録部に記録された情報の管理を行うステップと、
タイトルデータ処理部において、前記コンテンツ記録部に格納された前記番組情報のタイトルを抽出してデータ化するステップと、
ファイル送信部において、ユーザプロファイルタイトルデータを前記推薦情報提供装置に前記ネットワークを介して送信するステップと、
推薦情報取得部において、前記ネットワークを介して前記推薦情報提供装置より推薦情報を受信するステップと、
映像表示処理部において、前記推薦情報の種別を判断して前記映像表示装置に適合させて画像表示させるステップと、
映像出力部において、前記映像表示装置へ前記推薦情報を出力するステップと、を前記録画再生装置において実行させるためのコンテンツ推薦プログラム。
【請求項７】
コンピュータに広告等の各種情報をユーザに推薦するための推薦情報提供装置と、映像表示装置と、録画再生装置として組み合わせて前記ユーザの嗜好やプロファイルに合わせた情報を提供させるためのコンテンツ推薦プログラムを記録した記録媒体であって、
ユーザ情報受信部において、前記録画再生装置から送信される前記ユーザに関するユーザ情報を取得するステップと、
ユーザ情報記録部において、取得した前記ユーザ情報を格納するステップと、
コンテンツＵＲＬ記録部において、前記ユーザへ推薦するコンテンツもしくは情報が存在するサーバのＵＲＬを記録して格納するステップと、
番組情報格納部において、ネットワークを介してＥＰＧファイルサーバ及び放送局から取得した文字放送データ及び番組情報を格納するステップと、
番組情報処理部において、前記番組情報の処理を行うステップと、
ユーザ嗜好情報生成部において、前記ユーザ情報と前記番組情報に基づいて前記ユーザの嗜好情報を生成するステップと、
推薦情報生成部において、前記嗜好情報に基づいて前記ユーザに推薦する情報を生成するステップと、
推薦情報送信部において、前記録画再生装置に対し前記推薦情報を前記ネットワークを介して送信するステップと、を前記推薦情報提供装置において実行させ、
前記録画再生装置におけるユーザ情報記録部において、前記ユーザ情報を格納するステップと、
コンテンツ記録部において、前記ユーザが視聴したテレビ番組情報及び録画している番組情報と視聴したパッケージメディア情報を記録するステップと、
情報管理部において、前記コンテンツ記録部に記録された情報の管理を行うステップと、
タイトルデータ処理部において、前記コンテンツ記録部に格納された前記番組情報のタイトルを抽出してデータ化するステップと、
ファイル送信部において、ユーザプロファイルタイトルデータを前記推薦情報提供装置に前記ネットワークを介して送信するステップと、
推薦情報取得部において、前記ネットワークを介して前記推薦情報提供装置より推薦情報を受信するステップと、
映像表示処理部において、前記推薦情報の種別を判断して前記映像表示装置に適合させて画像表示させるステップと、
映像出力部において、前記映像表示装置へ前記推薦情報を出力するステップと、を前記録画再生装置において実行させるためのコンテンツ推薦プログラムを記録したコンピュータ読み取り可能な記録媒体。
【発明の詳細な説明】
【技術分野】
【０００１】
テレビ放送やＣＭ、パッケージメディア、録画機における映像コンテンツに連動した、映像コンテンツや各種情報および広告を推薦するためのコンテンツ推薦装置及びプログラム、記録媒体に関する。
【背景技術】
【０００２】
近年、テレビ受像装置の高機能化やテレビ放送のデジタル化によって、ＥＰＧなどのデジタル情報と連携したサービスが提供されている。また、テレビ番組をデジタル信号として記録・再生を行うハードディスク型ビデオ録画機（以下、ＤＶＲと呼称）の利用も発展している。ハードディスクの利用によって、録画したテレビ番組に対するスキップ再生、可変速再生などの柔軟な再生操作が可能となっている。
【０００３】
また一方で、インターネットとパーソナルコンピュータ（以下ＰＣと呼称）の発展によって、テレビ番組を製作した放送局のホームページにおいて、番組中で伝え切れなかった内容やコンテンツをホームページ上で補足するような使い方も浸透している。
【０００４】
テレビ番組と広告の連携方法としてデータ放送等があるが、別の提案手法として、インターネットへの接続機能を内蔵したテレビなどの放送受信装置において、その装置が受信可能な番組表に、予め１つないし複数のＵＲＬ情報を記録しておき、該当の放送の始まった時刻に、自動的ないし利用者の選択によって、放送と平行してＵＲＬに基づくインターネットからの情報を取り込んで表示するものがある（特許文献１）。
【０００５】
しかしながら、最初にアクセス可能なＵＲＬの候補は放送局側が選定して番組表に掲載したものに限られ、前述のＤＶＲによって録画した番組に関して同様のアクセスを考えた場合、番組表自体が過去のものとして消失しているか、あるいはその番組表データをＤＶＲの中に取り込んでいたとしても、番組表に掲載されたＵＲＬが最新のものとは限らない懸念があった。
【０００６】
また、コンテンツ推薦の提案手法として、あらかじめ設定しておいたユーザプロファイルと、ユーザの状況をパラメータ化して、推薦コンテンツのスコア付けを行い、スコアの高いものをユーザへ提供するものが知られている。ユーザの状況に応じて推薦スコア値が変化することから、ユーザの視聴状況に応じたコンテンツを推薦することができる（特許文献２）。
【０００７】
しかしながら、推薦するコンテンツのタグから、その内容を読み取るまでなので、コンテンツ内でどの出演者が主要であるかなどまでは、考慮していない。また、ユーザ嗜好ファイルを自動更新する手段が述べられておらず、ユーザにタイムリーなコンテンツを提供できるとは限らない懸念があった。
【特許文献１】特許第３１６７１０９号
【特許文献２】特開２００５−１６５４５４号
【発明の開示】
【発明が解決しようとする課題】
【０００８】
従来、リアルタイムな放送波として番組を視聴している場合には、視聴者は番組に含まれる放送広告も必然的に視聴するため、視聴率の高い番組では、その番組中の広告に視聴者が到達する割合（広告到達率）が高まり、広告商品の販売量向上に寄与する。
【０００９】
すなわち、番組制作側と広告スポンサーとの間には、相互発展関係の構築が可能であった。しかしながら、ＤＶＲが利用されてくると、視聴に要する時間を短縮したい視聴者は広告放送部分をスキップ再生（一般にＣＭスキップと呼称）する利用形態を取るため、視聴者が放送広告を閲覧する機会が少なくなり、広告到達率が低下する。
【００１０】
その結果、番組を放送することが広告商品の販売量上昇には繋がらず、スポンサーは放送広告を打つメリットが低下し、放送広告離れが生じることが懸念され、番組制作側は制作費の減少により、高品質の番組を作ることが困難となって、結果的に番組の質の低下を招き、視聴者離れを引き起こすこととなる。
【００１１】
この広告到達率の減少の効果は、放送の二次利用においても生じる。放送の二次利用形態として、（１）ＤＶＤなどのパッケージメディアとして販売、（２）ＢＳ／ＣＳなどのチャンネル課金放送における再放送、（３）通信ネットワークを介したサーバから番組を取得して視聴するビデオ・オン・デマンド放送、などが考えられる。
【００１２】
本発明は上記を鑑みてなされたものであり、その目的は、ＤＶＲで録画した放送番組及び、放送の二次利用コンテンツにおいて、ユーザ嗜好をリアルタイムに抽出し、広告を含めた情報を結果的に提供する仕組みを実現する。
【００１３】
また、放送の二次利用の際の広告機会を創出して、複合的に広告到達率を高め、さらにはユーザ嗜好情報の抽出により、番組スポンサーに対して新しいマーケティングの場を提供することにある。
【課題を解決するための手段】
【００１４】
前記課題を解決するために、請求項１に記載の本発明は、広告等の各種情報をユーザに推薦するための推薦情報提供装置と、映像表示装置と、録画再生装置と、を組み合わせて前記ユーザの嗜好やプロファイルに合わせた情報を提供するためのコンテンツ推薦装置であって、前記推薦情報提供装置は、前記録画再生装置から送信される前記ユーザに関するユーザ情報を取得するためのユーザ情報受信部と、取得した前記ユーザ情報を格納するためのユーザ情報記録部と、前記ユーザへ推薦するコンテンツもしくは情報が存在するサーバのＵＲＬを記録して格納するためのコンテンツＵＲＬ記録部と、ネットワークを介してＥＰＧファイルサーバ及び放送局から取得した文字放送データ及び番組情報を格納するための番組情報格納部と、前記番組情報の処理を行うための番組情報処理部と、前記ユーザ情報と前記番組情報に基づいて前記ユーザの嗜好情報を生成するためのユーザ嗜好情報生成部と、前記嗜好情報に基づいて前記ユーザに推薦する情報を生成するための推薦情報生成部と、前記録画再生装置に対し前記推薦情報を前記ネットワークを介して送信するための推薦情報送信部と、を備え、前記録画再生装置は、前記ユーザ情報を格納するためのユーザ情報記録部と、前記ユーザが視聴したテレビ番組情報及び録画している番組情報と視聴したパッケージメディア情報を記録するためのコンテンツ記録部と、前記コンテンツ記録部に記録された情報の管理を行うための情報管理部と、前記コンテンツ記録部に格納された前記番組情報のタイトルを抽出してデータ化するためのタイトルデータ処理部と、ユーザプロファイルタイトルデータを前記推薦情報提供装置に前記ネットワークを介して送信するためのファイル送信部と、前記ネットワークを介して前記推薦情報提供装置より推薦情報を受信するための推薦情報取得部と、前記推薦情報の種別を判断して前記映像表示装置に適合させて画像表示させるための映像表示処理部と、前記映像表示装置へ前記推薦情報を出力するための映像出力部と、を備える。
【００１５】
また、請求項２に記載の本発明は、請求項１において、前記推薦情報提供装置は推薦情報選択手段を有し、前記録画再生装置から送信されるユーザ閲覧番組情報を基に前記ＥＰＧファイルサーバより取得し蓄積した番組情報と、あらかじめ収集された前記コンテンツに関する情報と、でもってリストアップされる出演者に関連付けられた推薦情報をユーザに対し提供する。
【００１６】
また、請求項３に記載の本発明は、請求項２において、前記推薦情報選択手段は、前記放送局から取得した前記文字放送データに基づいて出演者の出演頻度のヒストグラムを生成し、前記出演者毎のスコア付けを行って主要人物を特定し、前記コンテンツ毎の特徴を抽出する。
【００１７】
また、請求項４に記載の本発明は、請求項２または３において、前記推薦情報選択手段は、前記ユーザが視聴した前記コンテンツにおける前記出演者に基づいて推薦情報を生成し、前記ユーザが視聴した前記コンテンツのタイトルのみを前記録画再生装置から前記推薦情報提供装置へ送信することにより当該ユーザの嗜好に即した情報が提供される。
【００１８】
また、請求項５に記載の本発明は、請求項２〜４のいずれかにおいて、前記推薦情報選択手段は、前記出演者に関連した推薦情報を前記ユーザプロファイルを基に選別して前記ユーザへ提供する。
【００１９】
また、請求項６に記載の本発明は、コンピュータを広告等の各種情報をユーザに推薦するための推薦情報提供装置と、映像表示装置と、録画再生装置として組み合わせて前記ユーザの嗜好やプロファイルに合わせた情報を提供するためのコンテンツ推薦プログラムであって、ユーザ情報受信部において、前記録画再生装置から送信される前記ユーザに関するユーザ情報を取得するステップと、ユーザ情報記録部において、取得した前記ユーザ情報を格納するステップと、コンテンツＵＲＬ記録部において、前記ユーザへ推薦するコンテンツもしくは情報が存在するサーバのＵＲＬを記録して格納するステップと、番組情報格納部において、ネットワークを介してＥＰＧファイルサーバ及び放送局から取得した文字放送データ及び番組情報を格納するステップと、番組情報処理部において、前記番組情報の処理を行うステップと、ユーザ嗜好情報生成部において、前記ユーザ情報と前記番組情報に基づいて前記ユーザの嗜好情報を生成するステップと、推薦情報生成部において、前記嗜好情報に基づいて前記ユーザに推薦する情報を生成するステップと、推薦情報送信部において、前記録画再生装置に対し前記推薦情報を前記ネットワークを介して送信するステップと、を前記推薦情報提供装置において実行させ、前記録画再生装置におけるユーザ情報記録部において、前記ユーザ情報を格納するステップと、コンテンツ記録部において、前記ユーザが視聴したテレビ番組情報及び録画している番組情報と視聴したパッケージメディア情報を記録するステップと、情報管理部において、前記コンテンツ記録部に記録された情報の管理を行うステップと、タイトルデータ処理部において、前記コンテンツ記録部に格納された前記番組情報のタイトルを抽出してデータ化するステップと、ファイル送信部において、ユーザプロファイルタイトルデータを前記推薦情報提供装置に前記ネットワークを介して送信するステップと、推薦情報取得部において、前記ネットワークを介して前記推薦情報提供装置より推薦情報を受信するステップと、映像表示処理部において、前記推薦情報の種別を判断して前記映像表示装置に適合させて画像表示させるステップと、映像出力部において、前記映像表示装置へ前記推薦情報を出力するステップと、を前記録画再生装置に実行させる。
【００２０】
また、請求項７に記載の本発明は、コンピュータに広告等の各種情報をユーザに推薦するための推薦情報提供装置と、映像表示装置と、録画再生装置として組み合わせて前記ユーザの嗜好やプロファイルに合わせた情報を提供させるためのコンテンツ推薦プログラムを記録した記録媒体であって、ユーザ情報受信部において、前記録画再生装置から送信される前記ユーザに関するユーザ情報を取得するステップと、ユーザ情報記録部において、取得した前記ユーザ情報を格納するステップと、コンテンツＵＲＬ記録部において、前記ユーザへ推薦するコンテンツもしくは情報が存在するサーバのＵＲＬを記録して格納するステップと、番組情報格納部において、ネットワークを介してＥＰＧファイルサーバ及び放送局から取得した文字放送データ及び番組情報を格納するステップと、番組情報処理部において、前記番組情報の処理を行うステップと、ユーザ嗜好情報生成部において、前記ユーザ情報と前記番組情報に基づいて前記ユーザの嗜好情報を生成するステップと、推薦情報生成部において、前記嗜好情報に基づいて前記ユーザに推薦する情報を生成するステップと、推薦情報送信部において、前記録画再生装置に対し前記推薦情報を前記ネットワークを介して送信するステップと、を推薦情報提供装置において実行させ、前記録画再生装置におけるユーザ情報記録部において、前記ユーザ情報を格納するステップと、コンテンツ記録部において、前記ユーザが視聴したテレビ番組情報及び録画している番組情報と視聴したパッケージメディア情報を記録するステップと、情報管理部において、前記コンテンツ記録部に記録された情報の管理を行うステップと、タイトルデータ処理部において、前記コンテンツ記録部に格納された前記番組情報のタイトルを抽出してデータ化するステップと、ファイル送信部において、ユーザプロファイルタイトルデータを前記推薦情報提供装置に前記ネットワークを介して送信するステップと、推薦情報取得部において、前記ネットワークを介して前記推薦情報提供装置より推薦情報を受信するステップと、映像表示処理部において、前記推薦情報の種別を判断して前記映像表示装置に適合させて画像表示させるステップと、映像出力部において、前記映像表示装置へ前記推薦情報を出力するステップと、を前記録画再生装置に実行させるためのコンテンツ推薦プログラムを記録する。
【発明の効果】
【００２１】
本発明によれば、ＤＶＲで録画した放送番組及び、放送の二次利用コンテンツにおいて、ユーザ嗜好をリアルタイムに抽出し、広告を含めた情報を結果的に提供する仕組みを実現することができる。
【００２２】
また、放送の二次利用の際の広告機会を創出して、複合的に広告到達率を高め、さらにはユーザ嗜好情報の抽出により、番組スポンサーに対して新しいマーケティングの場を提供することができる。
【発明を実施するための最良の形態】
【００２３】
最初に本発明の実施の形態の基本構成と、その動作についての概要を説明する。
【００２４】
本実施の形態においては、広告やこれから行われるイベント情報や新作映画等の各種情報を推薦する推薦情報提供装置１、映像表示装置４、情報の送受信機能を有する録画再生装置５を備え、ユーザ情報を基に、ユーザの嗜好やプロファイルに合わせた情報を提供するコンテンツ推薦装置を用いる。
【００２５】
推薦情報提供装置１は録画再生装置５から放送網６を介して送信されるユーザ情報を取得する情報受信部と、その情報を格納するユーザ情報記録部と、ユーザに対し推薦を行う映像コンテンツもしくは情報が存在するインターネットコンテンツサーバ８のＵＲＬデータを格納するコンテンツ記録部と、通信網７などのネットワークを介してＥＰＧファイルサーバ２及び放送局３から取得した文字放送データ及び番組情報を格納する番組情報格納部と、その番組情報の処理を行う番組情報処理部と、ユーザ情報と番組情報からユーザの嗜好情報を生成するユーザ嗜好情報生成部と、ユーザ嗜好情報から推薦する情報を生成する推薦情報生成部と、録画再生装置５に対し推薦情報をネットワークを介して送信する推薦情報送信部とを有する。
【００２６】
また、録画再生装置５は、ユーザ情報を格納するユーザ情報記録部と、ユーザが視聴したテレビ番組情報及び録画している番組情報、視聴したパッケージメディア情報を記録するコンテンツ記録部と、それらの情報の管理を行う情報管理部と、コンテンツ記録部に格納された番組情報のタイトルを抽出しデータ化するタイトルデータ処理部と、ユーザプロファイルタイトルデータを前記推薦情報提供装置１にネットワークを介して送信するファイル送信部と、ネットワークを介して前記推薦情報提供装置１より推薦情報を受信する推薦情報取得部と、その推薦情報の種別を判断し映像表示装置４に適切な形で表示させる方法を決定する映像表示処理部と、映像表示装置４へ情報を出力する映像出力部を有する。
【００２７】
本実施の形態の推薦情報提供手段は、録画再生装置５から送信されるユーザ閲覧番組情報を基に、推薦情報提供装置１においてＥＰＧファイルサーバ２より取得し蓄積した番組情報及び、あらかじめ収集されたコンテンツに関する情報からリストアップされる出演者を基にして、その出演者に関連付けられた推薦情報をユーザに対し提供する。
【００２８】
具体的には、出演者の出演回数のカウントを行い、さらに放送局３から取得した文字放送データもしくは、コンテンツ内に格納される字幕などから内容を解析し、出演者の出演頻度のヒストグラムを作成し、出演者のスコア付けを行うことで、該当コンテンツの主要人物を特定し、同一タイトルのコンテンツであっても、その回毎の特徴を抽出可能としている。ここでユーザが視聴したコンテンツにおける出演者の傾向を抽出し、スコアの高い出演者に関連する広告や新作情報、イベント情報をユーザに対し提供する。
【００２９】
この結果、ユーザが視聴したコンテンツのタイトルのみを録画再生装置５から推薦情報提供装置１へ送信するだけで、ユーザの嗜好に即した情報提供を可能とする。録画再生装置５においては、録画コンテンツを視聴する時にＣＭの内容を推薦情報提供装置１からのものと置き換え提供したり、サブペインに表示させたりする。またはコンテンツそのものでユーザへ情報を提供している。
【００３０】
以上の概要を踏まえて、以下に本発明の実施の形態の具体例について、図面を用いて説明する。
【００３１】
図１〜図８は本発明に関わる位置情報利用型サービスシステムの一実施の形態を示す図である。
【００３２】
図１は、図示しないユーザに対しコンテンツを推薦する実施の形態を実現するためのシステムの構成図である。
【００３３】
図１において、放送局３はテレビ番組を送出する。この放送局３から録画再生装置５までの送出媒体は、テレビ放送の送出に十分な送信速度を持つ媒体からなる放送網６であれば何でも良く、例えばＵＨＦなどのテレビ放送電波や、通信網７として光ケーブル等の通信ネットワーク等である。
【００３４】
番組データサーバ（ＥＰＧファイルサーバ２）は放送局３の編成によって生成される番組制作関連情報を番組データとして有するサーバ装置である。また、番組データサーバから放送受信端末までの送受信媒体は、例えば放送局３から送出するテレビ放送波に重畳する方法を取ることができる。
【００３５】
録画再生装置５は、テレビ放送を受信する機能を備えた装置であり、例えば、テレビチューナーの機能や、ケーブルテレビやインターネットの通信網７からネットワーク接続装置を経て、放送コンテンツを受信する機能を備え、それらの放送を一時的に記録して任意の時刻に再生可能なハードディスク型ビデオ録画機やＤＶＤ等のパッケージメディア再生機である。
【００３６】
ここで、録画再生装置５は、利用者が放送内容を事前に確認して視聴や録画の可否を決定するため、番組データサーバから送出される番組データを受信し、記憶することができる。放送受信端末はまた、ネットワーク環境を介して番組データサーバ、検索サーバや広告サーバ、放送局３サーバ、ユーザデータサーバ等のインターネットコンテンツサーバ（ニュースサイト９、放送局公式サイト１０、ブログＳＮＳ１２、広告主サイト１３などを含む）８からさまざまな情報を取得し、テレビ番組画面と同時にこれらの情報（以下、ネットワークコンテンツと総称）を表示可能な機能を有する。
【００３７】
映像表示装置４は、録画再生装置５からの画面出力を利用者に提示するもので、例えば平面ディスプレイである。
【００３８】
推薦情報提供装置１は、ユーザから送信されたコンテンツ情報を受信し、推薦情報を返すための装置である。推薦情報提供装置１は、番組データサーバより番組制作関連情報を取得することに加えて、放送局３より文字放送データや字幕データを受信する機能を持つ。
【００３９】
文字放送データとは、一般に知られている文字放送用のデータや、ワンセグ放送に付与される字幕データ、さらには、映画等の字幕などのことである。番組制作関連情報より、番組に出演する出演者データを抽出し格納する機能を持ち、さらに、文字放送データを解析し、その番組においてどの出演者が主要であったかを判別する機能を持つ。
【００４０】
ここから得られた番組出演者情報を基に、推薦情報提供装置１から、推薦情報をユーザに対して提供する。ここで推薦情報とは、動画コンテンツやＣＭ、インターネットコンテンツのＵＲＬ、文字による情報などを指す。また推薦情報提供装置１の推薦情報は、インターネット上のコンテンツを自動収集したものや、広告提供者により登録されたＣＭやコンテンツ、放送局３から提供されるコンテンツなどの、手作業による登録されたデータが蓄積されているものと仮定する。
【００４１】
なお、以下の説明において、番組データとは、例えば、双方向動画像通信技術における「ＴＶ  Ａｎｙｔｉｍｅ用メタデータ」などとして知られるものであり、一般にテレビ放送において番組の開始または終了時にテロップとして流れることや、新聞のテレビ欄で閲覧可能な番組制作関連情報を意味する。具体的には例えば、放送局３名、放送チャンネル、番組開始日時および終了日時、番組タイトル、サブタイトル、放送回数、あらすじ、見出し、番組中のコーナー名、出演者名、スタッフ名、番組制作会社名、などである。
【００４２】
録画再生装置５に格納しておく利用者のユーザプロファイル情報とは、例えば、住所、氏名、電話番号、生年月日、クレジットカード番号、口座番号、生体情報、認証パスワードなどの個人を特定できるような情報であり、あるいは、血液型、趣味・嗜好、年齢、既婚・未婚の識別、郵便番号、居住区域情報と言った、個人の特定はできないものの、広告サーバにおいて分類キーとして利用可能な情報を意味する。もちろん全てが必須ではない。
【００４３】
本システムにおいて、ユーザへ推薦情報を提供するための動作について説明する。
【００４４】
図２は、本システムにおいて、ユーザへ推薦情報を提供する流れである。
【００４５】
本発明においては、録画再生装置５から、送信する情報は、コンテンツ（番組）タイトルリスト１５と、ユーザプロファイル情報１６のみである。ユーザプロファイル情報１６は、初期登録後は、更新がない限り推薦情報提供装置１へ再送信されない。
【００４６】
また、コンテンツタイトルリスト１５とは、ユーザが一定期間に視聴した番組や録画を行った番組、パッケージメディアのコンテンツなどである。ここで、ザッピングで視聴した番組をカウントしてしまうとノイズとなってしまうので、最低でも５分以上視聴したタイトルをカウントすることとする。
【００４７】
推薦情報提供装置１には、イベント情報や新作映画などの未来情報や、広告、既存コンテンツのファイルもしくはコンテンツが格納されているＵＲＬを保持している。データを受信すると、タイトル情報と推薦情報提供装置１により生成された番組出演者情報から、ユーザが視聴するコンテンツに出演する出演者の傾向のデータを抽出することができる。それを基に、紐付けられた推薦情報を、ユーザへ送信し提供する。
【００４８】
図３は録画再生装置５の各機能部を示した詳細図である。
【００４９】
コンテンツ情報記録部２０は、ユーザが一定期間内に視聴したコンテンツのタイトルをカウントし格納する。また、ユーザ情報記録部３３２１はユーザプロファイル情報を格納する。情報管理部３４２２は、上記２つの情報記録部の情報を管理し、更新があれば情報推薦サーバへデータを送信し、推薦コンテンツを提供する際には、ユーザ視聴情報を送信する。タイトルデータ処理部２３では、収集されたユーザ視聴情報を推薦情報提供サーバへ送信するためのデータへ加工する。タイトルを視聴時間や回数でランク付けし、上位のデータをファイル送信部２７へ引き渡し、ネットワーク接続部２８を通じて送信する。推薦情報提供サーバより返されたデータは、推薦情報取得部２６で受信する。映像表示処理部２５において、ユーザ環境に合わせた提供方法へデータが加工され、映像出力部２４を通じて、映像表示装置４へ送信される。
【００５０】
図４は推薦サーバ装置の各機能部を示した詳細図である。
【００５１】
推薦コンテンツ記録部３２には、ＣＭや動画コンテンツ、未来情報（新作映画やドラマ、イベント情報など）が格納されており、ユーザ嗜好情報生成部３５で生成された、ユーザ視聴コンテンツの出演者傾向を基に、推薦コンテンツを提供する。番組情報処理部３０は、番組制作関連情報や文字放送データ、字幕データを基に、文中に出現する出演者の名前や役名の出現回数を抽出しヒストグラムを作成し、該当コンテンツ内の主要出演者を決定する。出演頻度の高い出演者をピックアップし、該当コンテンツの出演者特徴量としてデータ化し、番組情報記録へ格納する。ここで出演者の出現回数のカウント方法として、直接出演者の名前や役名をカウントすることに加えて、「〜さん」や「〜様」、「〜くん」、「〜ちゃん」等といった敬称の前にくる単語も抽出する。この場合、呼び名など、多少正確な名前と異なる場合が多く、文字列の類似度を見てカウントする。ユーザ情報記録部３３２１は、サービス提供ユーザの情報を格納する。ユーザ情報は録画再生装置５において情報の更新があった場合に更新する。ユーザ嗜好情報生成部３５では、処理を行った番組情報とユーザより送られてくるタイトルデータを照会し、ユーザが視聴する番組の出演者の傾向の分析を行う。その結果出された特徴的出演者リストから、その出演者に紐づいた情報をユーザに提供する。推薦する優先度として、ユーザ嗜好情報生成部３５によって出されたデータ内の出演者が複数紐づいている情報を優先する。
【００５２】
図５はユーザへの情報提供イメージである。
【００５３】
図のように副次的はペインを用いて、画面分割により情報提供を行ってもよいし、ＣＭの部分に割り込ませる方法も考えられる。ここで、メインで視聴するコンテンツと、推薦コンテンツが競合することが考えられる。この場合、推薦情報提供サーバにおいて、あらかじめ並列して表示することを禁止するＣＭ提供者リストを保持しておき、そのリストにしたがって推薦情報を送付することで回避する。
【００５４】
図６は本発明の実施形態に係わる録画再生装置５の処理フローを示したものである。
【００５５】
まず、一定期間タイトルの出現回数をカウントし、ユーザの視聴コンテンツのタイトルを抽出する（Ｓ１）。タイトルの視聴時間や回数によって（Ｓ２、Ｓ３）、タイトルの重み付けを行い（Ｓ４）、高スコアのタイトルをリスト化しデータファイルを作成する（Ｓ５）。
【００５６】
次にユーザプロファイルとタイトルデータファイル、推薦コンテンツ提供時に視聴するコンテンツ情報を推薦情報提供装置１へ送信する（Ｓ６）。サーバより結果が返ってくるまで待機し（Ｓ７、Ｓ８）、データを得次第、表示装置やポリシに応じてユーザへの情報提示を行う（Ｓ９）。ユーザがその情報に興味を示す操作（ＵＲＬアクセスなど）を行った場合（Ｓ１０）、関連情報をユーザプロファイルに反映する（Ｓ１１）。コンテンツ視聴終了にあわせて、サービスも終了する（Ｓ１２、Ｓ１３）。
【００５７】
図７は本発明の実施形態に関わる推薦情報提供装置１の処理フローを示したものである。
【００５８】
録画再生装置５より、ユーザプロファイルやタイトルリスト、視聴コンテンツ情報を取得（Ｓ２０）すると、タイトルリストに記述されたタイトルを基に、番組情報記録部３１へ照会し、出演者の傾向を抽出する（Ｓ２１）。このフローをタイトルリストに列挙してあるもの全て行い（Ｓ２２、Ｓ２３、Ｓ２４）、出演者リストを作成する（Ｓ２５）。これを基に、推薦コンテンツ管理部にから関連コンテンツや情報を取得し（Ｓ２６、Ｓ２７）、関連コンテンツとの関係を考慮し、ユーザへ送信する。また、推薦コンテンツは、ユーザプロファイルを基に、世代別、性別などに応じたコンテンツを送信する（Ｓ２８）。
【００５９】
図８は本発明の実施形態に関わる文字放送データの処理フローを示したものである。
【００６０】
番組制作関連情報や文字放送データ、字幕データを取得し（Ｓ３０）、文中に出現する出演者の名前や役名の出現回数を抽出し（Ｓ３１、Ｓ３２）ヒストグラムを作成する（Ｓ３３）。これより該当コンテンツ内の主要出演者を決定する（Ｓ３４）。次に出演頻度の高い出演者をピックアップし、該当コンテンツの出演者特徴量としてデータ化し、番組情報記録部３１へ格納する（Ｓ３５）。ここで出演者の出現回数のカウント方法として、直接出演者の名前や役名をカウントすることに加えて、「〜さん」や「〜様」、「〜くん」、「〜ちゃん」等といった敬称の前にくる単語も抽出する。この場合、呼び名など、多少正確な名前と異なる場合が多く、文字列の類似度を見てカウントする。
【００６１】
以上説明した本発明の実施の形態においては、リアルタイムな放送においては広告到達率の低下は生じないことから、本発明の実施の形態の主な適用対象は視聴者の家庭のＤＶＲに録画されたテレビ番組、もしくは過去に放送されてパッケージメディア化された二次利用のテレビ番組、映画等のパッケージメディアである。
【００６２】
さらに、放送番組と連動して提供するコンテンツ（広告、各種情報）は、視聴者個人ごとに適応可能であることが望ましい。
【００６３】
本発明の実施の形態では、番組に付与されたメタデータに加え、テレビ番組の文字放送や、ワンセグ放送に付与される字幕、映画コンテンツに付与される字幕を解析し、どの出演者が主要であるかという情報を抽出し、ユーザの視聴データと前述のデータを基に、個人の嗜好情報の抽出を行い、ユーザのプロファイル情報を併せて用い、コンテンツやＣＭ等の情報推薦を行う解決手段を提案する。
【００６４】
また、コンテンツに付与されるメタデータに加え、番組の内容を解析することで、ユーザの視聴傾向をより正確につかむことが可能となる。例えば、連続ドラマであっても主役以外にその回のみに出演するゲストが好きで、その放送を見た場合などメタデータだけでは傾向がつかみにくいが、本発明の実施の形態を用いれば傾向を抽出可能である。
【００６５】
また、放送受信端末はタイトルデータを送信するだけでよいため、機器への負担も少ない。さらに、放送受信端末はユーザの個人情報を入手していることから、個人情報を元に、その利用者に対応した広告コンテンツをユーザへ提供することができる。例えば、総合的なトイレタリー会社が利用者の条件に応じて広告コンテンツを変化させる例として、個人が特定できる場合、あるいは、個人が特定できないが性別や血液型などの情報を以って利用者を特定のセグメントに分類できる場合、などのように、受信可能な個人情報のレベルに応じて広告内容を変化させることを想定できる。
【００６６】
さらに、以上説明した本発明の実施の形態によれば、ＤＶＲで録画した放送番組及び、放送の二次利用コンテンツにおいて、ユーザ嗜好をリアルタイムに抽出し、広告を含めた情報を結果的に提供する仕組みを実現することができる。
【００６７】
また、放送の二次利用の際の広告機会を創出して、複合的に広告到達率を高め、さらにはユーザ嗜好情報の抽出により、番組スポンサーに対して新しいマーケティングの場を提供することができる。
【図面の簡単な説明】
【００６８】
【図１】本発明の実施の形態に係る、ユーザに対しコンテンツを推薦するためのシステムの構成図を示す。
【図２】本発明の実施の形態に係る、ユーザへ推薦情報を提供する流れを示す。
【図３】本発明の実施の形態に係る、録画再生装置の各機能部を示す。
【図４】本発明の実施の形態に係る、推薦サーバ装置の各機能部を示す。
【図５】本発明の実施の形態に係る、ユーザへの情報提供イメージの一例を示す。
【図６】本発明の実施の形態に係る、録画再生装置の処理フローを示す。
【図７】本発明の実施の形態に係る、推薦情報提供装置の処理フローを示す。
【図８】本発明の実施の形態に係る、文字放送データの処理フローを示す。
【符号の説明】
【００６９】
１…推薦情報提供装置
２…ＥＰＧファイルサーバ
３…放送局
４…映像表示装置
５…録画再生装置（ＤＶＲ等）
６…放送網
７…通信網
８…インターネットコンテンツサーバ
【図１】
2009284415.tif 000003
【図２】
2009284415.tif 000004
【図３】
2009284415.tif 000005
【図４】
2009284415.tif 000006
【図５】
2009284415.tif 000007
【図６】
2009284415.tif 000008
【図７】
2009284415.tif 000009
【図８】
2009284415.tif 000010